(57)【要約】  コンピュータ可読の詳細な地図フォーマットが開示される。詳細な地図フォーマットは、車線セグメント及び１又は複数の境界セグメントを含む。車線セグメントの終端までの距離は、車線セグメントに沿った一つの位置と、当該位置に最も近い境界セグメントの一部分との間の距離を測定することによって、車線セグメントに沿った当該位置において決定される。車線セグメントの車線幅は、当該車線セグメントと近接し及び反対側に配置された２つの境界セグメントの間の距離を測定することによって、車線セグメントに沿った一つの位置において決定される。【選択図】図５
2017516135.tif 000002
【特許請求の範囲】
【請求項１】
コンピュータ可読の地図フォーマットであって、
車線セグメント及び境界セグメントを備え、
前記車線セグメントの終端までの距離は、前記車線セグメントに沿った一つの位置と、当該位置に最も近い前記境界セグメントの一部分との間の距離を測定することによって、前記車線セグメントに沿った前記位置において決定される、地図フォーマット。
【請求項２】
請求項１に記載の地図フォーマットであって、前記車線セグメントは、複数のウェイポイントから形成され、及び、各ウェイポイントと関連する情報は、地理的位置と車線速度と車線方向の内の少なくとも１つを含む、地図フォーマット。
【請求項３】
請求項１に記載の地図フォーマットであって、前記境界セグメントは、複数の境界ポイントから形成され、及び、各境界ポイントと関連する情報は、少なくとも地理的位置と境界線の種類と境界線の色を含む、地図フォーマット。
【請求項４】
請求項３に記載の地図フォーマットであって、
前記車線セグメントと関連する情報は、運転ルールを含み、及び、前記運転ルールは、複数の境界ポイントの内の近接する１つと関連する、境界線の種類及び境界線の色の内の少なくとも一部に基づいており、
前記境界線の種類は、縁石、単一線、二重線、破線、破線と実線の組合せ及び線なしの内の少なくとも１つを含み、及び、前記境界線の色は、黄色、白及び不明の内の少なくとも１つを含む、地図フォーマット。
【請求項５】
請求項１に記載の地図フォーマットであって、
前記車線セグメントの終端と関連する停止線をさらに備え、
前記停止線と関連する情報は、地理的位置を含み、前記地理的位置は、交差点の前で車両が停止しなければならない位置を示す、地図フォーマット。
【請求項６】
請求項１に記載の地図フォーマットであって、
交通信号をさらに備え、
前記交通信号と関連する情報は、地理的位置と交通信号の種類と交通信号の状態を含む、地図フォーマット。
【請求項７】
請求項６に記載の地図フォーマットであって、
前記交通信号の種類は、信号機及び交通標識の内の少なくとも１つの構成及び方向に関する情報を含む、地図フォーマット。
【請求項８】
請求項７に記載の地図フォーマットであって、
前記交通信号の種類は信号機であり、及び、前記交通信号の状態は緑、緑矢印、黄色、点滅の黄色及び赤の内の少なくとも１つを含む、地図フォーマット。
【請求項９】
コンピュータ可読の地図フォーマットは、
車線セグメント及び複数の境界セグメントを備え、
前記車線セグメントの車線幅は、前記車線セグメントと近接し及び反対側に配置された複数の境界セグメントの内の少なくとも２つの間の距離を測定することによって、前記車線セグメントに沿った一つの位置において決定される、コンピュータ可読の地図フォーマット。
【請求項１０】
請求項９に記載の地図フォーマットであって、前記車線セグメントは、複数のウェイポイントから形成され、及び、各ウェイポイントと関連する情報は、地理的位置と車線速度と車線方向の内の少なくとも１つを含む、地図フォーマット。
【請求項１１】
請求項９に記載の地図フォーマットであって、前記境界セグメントは、複数の境界ポイントから形成され、及び、各境界ポイントと関連する情報は、少なくとも地理的位置と境界線の種類と境界線の色を含む、地図フォーマット。
【請求項１２】
請求項１１に記載の地図フォーマットであって、
前記車線セグメントと関連する情報は、運転ルールを含み、及び、前記運転ルールは、複数の境界ポイントの内の近接する１つと関連する、境界線の種類及び境界線の色の内の少なくとも一部に基づいており、
前記境界線の種類は、縁石、単一線、二重線、破線、破線と実線の組合せ及び線なしの内の少なくとも１つを含み、及び、前記境界線の色は、黄色、白及び不明の内の少なくとも１つを含む、地図フォーマット。
【請求項１３】
請求項９に記載の地図フォーマットであって、
前記車線セグメントの終端と関連する停止線をさらに備え、
前記停止線と関連する情報は、地理的位置を含み、前記地理的位置は、交差点の前で車両が停止しなければならない位置を示す、地図フォーマット。
【請求項１４】
請求項９に記載の地図フォーマットであって、
交通信号をさらに備え、
前記交通信号と関連する情報は、地理的位置と交通信号の種類と交通信号の状態を含む、地図フォーマット。
【請求項１５】
請求項１４に記載の地図フォーマットであって、
前記交通信号の種類は、信号機及び交通標識の内の少なくとも１つの構成及び方向に関する情報を含み、
前記交通信号の種類は信号機であり、及び、前記交通信号の状態は緑、緑矢印、黄色、点滅の黄色及び赤の内の少なくとも１つを含む、地図フォーマット。
【発明の詳細な説明】
【背景技術】
【０００１】
完全又は高度に自動化されている、例えば、自律走行又は無人走行等の走行システムは、運転手の介入若しくは他の外部制御なしに又はそれが低いレベルで、道路上の車両を操作するように設計される。自律走行システムは、車両を適切に制御するための十分な精度と共に、車両周辺の地理的特徴の確かな位置及び距離を必要とする。車両周辺の道路及び他の地理的特徴の詳細は、詳細な仮想地図に記録されることができる。詳細な仮想地図がより正確になるほど、自律走行システムの性能がより良くなる。実際の仮想地図は、最適な自律走行動作にとって十分な又は十分に正確な地理的特徴を有さない。
【発明の概要】
【発明が解決しようとする課題】
【０００２】
本明細書に記載される詳細な地図フォーマットは、各車線の境界の位置、各車線の正確な幅及び所定の車線の通行不能な境界線（例えば、縁石、中央帯および交通島）の位置を含む、道路の走行可能な領域を示すために使用されることができる。また、詳細な地図フォーマットは、地図フォーマット内の任意のオブジェクトから車線の境界までの距離を計算するために、及び、横断歩道および私道のような、車線と交差する他の地図特徴を特定するために、所定の道路車線と関連する運転ルールをサポートする情報を含むことができる。この地図フォーマットの高度に詳細な性質は、詳細な地図フォーマットに対して自律走行車のローカライゼーション（正確な位置決め）を改善させると共に、高度に自動化された又は自律走行の車両の制御を改善させる。
【０００３】
詳細な地図フォーマット内の各車線は、ウェイポイントで形成される車線セグメント（区分）を含むことができる。また、開示する詳細な地図フォーマットは、境界ポイントで形成される境界セグメントを含むことができる。これらの境界セグメント及び境界ポイントと関連する情報は、境界線の種類及び境界線の色を含む。自律走行車は、詳細な地図フォーマットと関連する所定の境界線の種類及び境界線の色に基づく運転ルールに従って動作するように制御されることができる。また、境界セグメントは、所定の車線セグメントのために車線の終端までの距離又は当該車線セグメントに沿った任意のポイントで車線幅を決定するために使用されることができ、ウェイポイントのみで形成された車線セグメントを使用するときよりも、自律走行車の制御をより正確に提供することが可能である。
【課題を解決するための手段】
【０００４】
一実施形態では、コンピュータ可読の地図フォーマットが開示される。地図フォーマットは、少なくとも１つの車線セグメント及び１つの境界セグメントを含む。車線セグメントの終端までの距離は、車線セグメントに沿って選択された任意の位置と、当該位置に最も近い境界セグメントの一部分との間の距離を測定することによって、車線セグメントに沿った任意の位置において決定される。
【０００５】
別の実施形態では、別のコンピュータ可読の地図フォーマットが開示される。コンピュータ可読の地図フォーマットは、車線セグメント及び複数の境界セグメントを含む。車線セグメントの車線幅は、当該車線セグメントと近接し及び反対側に配置された複数の境界セグメントの内の少なくとも２つの間の距離を測定することによって、車線セグメントに沿った任意の位置において決定される。
【０００６】
本明細書の記載は、いくつかの図面を通して同様の構成に同様の参照番号を付す、添付の図面について言及する。
【図面の簡単な説明】
【０００７】
【図１】コンピュータ装置のブロック図である。
【図２】図１のコンピュータ装置を含む自律走行車の概略図である。
【図３】図２の自律走行車用に使用する詳細な地図フォーマット内に表される、２車線道路の一部分の２次元表示の一例を示す。
【図４】図２の自律走行車用に使用する詳細な地図フォーマット内に表される、交差点で５車線道路に遷移する４車線道路の一部分の２次元表示の一例を示す。
【図５】図２の自律走行車用に使用する詳細な地図フォーマット内に表される、環状交差点の２次元表示の一例を示す。
【発明を実施するための形態】
【０００８】
自律走行車のためのコンピュータ可読の非常に詳細な地図フォーマットが開示される。詳細な地図フォーマットは、ウェイポイントで形成される車線セグメントを使用して、所定の道路上の複数の車線の地理的位置、走行方向及び速度制限を示す、情報を含む。また、この基本情報の他に、詳細な地図フォーマットは、境界ポイントで形成された境界セグメントの形式で、各車線の境界線の地理的位置を含む。運転ルールが最も近い境界セグメントに基づいて車線セグメントと関連付けられるように、詳細な地図フォーマット内の境界セグメント及び境界ポイントと関連する情報は、境界線の種類及び境界線の色を含むことができる。また、詳細な地図フォーマットは、交差点への進入のために自律走行車をより適切な位置に配置し、及び、自律走行車が交差点で停車すべき位置を示すために、交差点で車線の終端に接続される停止線を含むことができる。また、横断歩道は、詳細な地図フォーマット内に含まれ、及び、自律走行車が横断歩道に接近する際に従う安全規則に関連付けることができる。
【０００９】
図１は、コンピュータ装置１００のブロック図であり、例えば、自律走行システム用に使用される。コンピュータ装置１００は、車両搭載型、携帯型、デスクトップ型等の任意の種類又は単一のコンピュータ装置の他の形態となることができ、又は、複数のコンピュータ装置から構成されることができる。コンピュータ装置内の処理ユニットは、従来の中央処理装置（ＣＰＵ）１０２若しくは他のいかなる種類の装置、又は、情報を操作若しくは処理可能な複数の装置となることができる。コンピュータ装置内のメモリ１０４は、ランダム・アクセス・メモリ（ＲＡＭ）装置又は他のいかなる種類の適切な記憶装置となることができる。メモリ１０４は、バス１０８を使用してＣＰＵ１０２により読み書きされるデータ１０６を含むことができる。
【００１０】
また、メモリ１０４は、オペレーティング・システム１１０及びインストールされたアプリケーション１１２を含むことができ、インストールされたアプリケーション１１２は、以下に説明される詳細な地図フォーマットを使用して、自動化された走行方法をＣＰＵ１０２に実行させることを許可するプログラムを含む。また、コンピュータ装置１００は、第２の、追加的な又は外部の記憶装置１１４、例えば、メモリカード、フラッシュドライブ又は他のいかなる形式のコンピュータ可読媒体を含むことができる。インストールされたアプリケーション１１２は、外部記憶装置１１４の全部又は一部に記憶され、及び、処理の必要に応じてメモリ１０４に読み込まれることができる。
【００１１】
また、コンピュータ装置１００は、１又は複数のセンサ１１６と通信することができる。センサ１１６は、以下のシステム等により処理されるデータ及び／又は信号を取得することができる。即ち、センサ１１６は、慣性計測装置（ＩＭＵ）、自律航法（デッドレコニングシステム）、全地球測位システム（ＧＮＳＳ）、ＬＩＤＡＲシステム、レーダーシステム、ソーナーシステム、画像に基づくセンサシステム、又は、他のいかなる種類のシステムであって、以下に説明されるオブジェクトに関する特定の情報を含む、詳細な地図フォーマットの作成で用いる車両の周辺環境に関する特定の情報を取得することができる他のいかなる種類のシステムにより、処理されるデータ及び／又は信号を取得することができる。オブジェクトに関する特定の情報には、例えば、車両により走行されてきた経路の特徴、又は、他の局所的な位置のデータ及び／又は信号及びＣＰＵ１０２へ出力する対応のデータ及び／又は信号等が含まれる。
【００１２】
以下に説明される例で、センサ１１６は、車両位置及び速度を測定するＧＮＳＳ又は他のシステム用の信号と、車線（例、道路表面のマーカー又は道路の境界線）、障害物、オブジェクト又は信号機及び道路標識を含む、他の環境特徴からの車両距離を測定するＬＩＤＡＲシステム又は他のシステム用のデータと、を少なくとも取得することができる。また、コンピュータ装置１００は、１又は複数の車両システム１１８、例えば、車両ブレーキシステム、車両推進システム等と通信することができる。また、車両システム１１８はセンサ１１６と通信することができ、センサ１１６は車両システム１１８の性能を示すデータを取得するように構成されている。
【００１３】
図２は、図１のコンピュータ装置１００に含む自律走行車２００の概略図である。コンピュータ装置１００は、図２に示す車両２００内に配置され、又は、車両２００から離れた（図示しない）別の場所に配置されることができる。コンピュータ装置１００が車両２００から離れて配置された場合、車両２００は、コンピュータ装置１００と通信する機能を含むことができる。
【００１４】
また、車両２００は、図１を参照して説明されるセンサ１１６のような、複数のセンサを含むことができる。図示する１又は複数のセンサ１１６は、以下に関して推定するために、即ち、車両２００の位置及び方向、画像センサにより処理するための画像、複数の衛星からの信号に基づくグローバル座標内の車両位置、又は、詳細な地図フォーマットを作成し又は車両２００の位置を詳細な地図フォーマットと比較することに用い、車両の現在の状態を測定し又はその環境に対する車両２００の位置を測定するために使用され得る、任意の他のデータ及び／又は信号に関して推定するために、コンピュータ装置１００により使用するための周辺環境内のオブジェクトまでの距離を取得するように構成されることができる。以下に説明される、認識された地理的特徴は、詳細な地図フォーマットを作成するために使用され、及び、他の車両等のオブジェクトは、認識され且つ詳細な地図フォーマットから除外されることができる。
【００１５】
地図フォーマットは、車両２００が経路を走行することに伴い、車両２００により取得される地理的特徴、例えば、車両２００と近接する車線の線及び縁石を使用して構築されることができる。これらの地理的特徴は、車線を検索し、車両２００の位置を記録し及びＧＮＳＳ及び／又はＩＭＵから位置に関するデータを収集するためのアルゴリズム、例えば、ＲＡＮＳＡＣを併用する、上述のＬＩＤＡＲシステム及び／又はカメラを使用して取得されることができる。次に、取得された地理的特徴は、全ての地理的特徴を車両２００の位置と関連して配置するためにローカライゼーション及びマッピング（ＳＬＡＭ）技術を同時に使用して操作されることができる。いくつかの地理的特徴は、車線の境界線として分類されることができ、及び、車線の中心は、車線の境界線に基づいて測定されることができる。或いは、地図フォーマットは、地理的特徴毎に異なるカテゴリの選択を可能にさせる地図エディタにより追跡された頭上からの画像（例、衛星画像）の地理的特徴を使用して構築されることができる。
【００１６】
図３は、図２の自律走行車２００用に使用する詳細な地図フォーマット内に表される、２車線道路３００の一部分の２次元表示の一例を示す。この地図フォーマットの例で、２車線道路３００は、車線３０２及び車線３０４を有する。車線３０２及び車線３０４のそれぞれは、車線セグメント３０６及び３０８を含むことができる。車線セグメント３０６及び３０８は、ウェイポイント３１０、３１２、３１４及び３１６の内の少なくとも２点の間に延びることができる。例えば、車線セグメント３０６はウェイポイント３１０及び３１２の間に延び、及び、車線セグメント３０８はウェイポイント３１４及び３１６の間に延びる。情報は、ウェイポイント３１０、３１２、３１４及び３１６と関連付けられることができ、及び、地図フォーマットの一部として記憶されることができる。例えば、ウェイポイント３１０、３１２、３１４及び３１６のそれぞれは、地理的位置、車線速度及び車線方向等の情報を含むことができる。
【００１７】
図３に示す地図フォーマットの例で、車線３０２は、ウェイポイント３１０及び３１２と接触する矢印により左右方向を有するものとして示され、及び、車線３０４は、ウェイポイント３１４及び３１６と接触する矢印により右左方向を有するものとして示される。全体のコンピュータ可読の地図フォーマットは、例えば、プレーンテキスト、バイナリ又はｘｍｌに記憶されることができる。基本の地図情報は、ルートネットワーク定義ファイル（ＲＮＤＦ）又は他の入手可能な情報源から収集されることができる。しかしながら、この基本の地図情報は、自律走行車２００の制御にとって十分ではない。
【００１８】
自律走行車２００用に使用する地図フォーマットを改善するために、追加的な詳細は、地図フォーマットに追加されることができる。図３に示すように、車線３０２及び車線３０４のそれぞれは、さらに境界線と関連付けることができる。境界セグメント３１８、３２０及び３２２のそれぞれは、境界ポイント３２４、３２６、３２８、３３０、３３２及び３３４の内の少なくとも２点の間に延びることができる。例えば、境界セグメント３１８は境界ポイント３２４及び３２６の間に延び、及び、境界セグメント３２２は境界ポイント３３２及び３３４の間に延びる。情報は、境界ポイント３２４、３２６、３２８、３３０、３３２及び３３４と関連付けられることができ、及び、地図フォーマットの一部として記憶されることができる。例えば、境界ポイント３２４、３２６、３２８、３３０、３３２及び３３４のそれぞれは、地理的位置、車線の種類及び車線の色等の情報を含むことができる。
【００１９】
各境界ポイント３２４、３２６、３２８、３３０、３３２及び３３４と関連する情報は、案内経路を決定し、他の車両を追い越すことに関する決定をし、境界セグメント３１８、３２０及び３２２に対して自律走行車２００を配置し又は局在させるため、及び、安全走行又は障害物の追跡を支援するために所定の案内経路に沿って走行可能な領域を決定するために、自律走行車２００により使用されることができる。各境界ポイント３２４、３２６、３２８、３３０、３３２及び３３４と関連する情報は、上述のように詳細な地図を構築するときに、例えば、ＬＩＤＡＲセンサを使用して収集されたデータから構築され、及び、ＳＬＡＭ技術を使用して操作されることができる。境界線と車線３０２及び車線３０４とに関連する地図情報は、例えば、スプライン制御点の形状で又はノットベクトルを用いた曲線として、コンピュータ装置１００のメモリ１０４に記憶され又は遠隔地から利用されることができる。
【００２０】
境界ポイント３２４、３２６、３２８、３３０、３３２及び３３４と関連付けることができる、異なる境界線の種類の例は、「縁石」、「単一線」、「二重線」、「破線」、「破線と実線の組合せ」及び「線なし」である。例えば、境界ポイント３２４及び３２６であって、故にこれら２点間を延びる境界セグメント３１８は、境界線の種類を「単一線」と関連することができる。地図フォーマット内の境界線の種類を「単一線」と表すために、境界ポイント３２４及び３２６は白丸の表示で示され、及び、境界セグメント３１８は細い実線の表示で示される。同様に、境界ポイント３２８及び３３０の間を延びる境界セグメント３２０は、境界線の種類を「二重線」と関連することができる。部分的に示される境界セグメント３３６及び３３８は、境界線の種類を「破線と実線の組合せ」と関連することができる。また、境界線の種類に加えて、境界線の色は、境界ポイント３２４、３２６、３２８、３３０、３３２及び３３４と関連付けることができる。例えば、境界線の色は、「黄色」、「白」又は「不明」を含むことができる。
【００２１】
境界線の種類及び境界線の色は、運転ルールを様々な車線セグメント３０６及び３０８のそれぞれと（及び／又は、車線セグメント３０６及び３０８を形成するウェイポイント３１０、３１２、３１４及び３１６と共に）関連付けるために使用されることができる。運転ルールは、境界ポイント３２４、３２６、３２８、３３０、３３２及び３３４と、車線セグメント３０６及び３０８に最も近い境界セグメント３１８、３２０及び３２２と関連する境界線の種類及び境界線の色の少なくとも一部に基づくことができる。例えば、２つの運転ルールは、車線セグメント３０６と関連付けることができる。１つ目は、境界セグメント３２０が境界線の種類「二重線」及び境界線の色「黄色」と関連している場合、境界ポイント３２８及び３３０の間を延びる境界セグメント３２０に基づく運転ルール「追い越し禁止車線」である。２つ目は、境界セグメント３１８が境界線の種類「単一線」及び境界線の色「白」と関連している場合、境界ポイント３２４及び３２６の間を延びる境界セグメント３１８に基づく運転ルール「走行可能な車線の境界線」である。図３を参照して説明された境界線の種類、境界線の色及び運転ルールは、米国内で広く理解されている交通規則を反映しているが、他の交通規則、境界線の種類、境界線の色及び運転ルールも同様に可能である。
【００２２】
地図フォーマット内の車線セグメント３０６及び３０８と、境界セグメント３１８、３２０及び３２２との両方の情報を記憶する別の利点は、車線セグメント３０６及び３０８の終端までの距離が、車線セグメント３０６及び３０８に沿った任意の位置と、当該位置に最も近い境界セグメント３１８、３２０及び３２２の一部分との間の距離を測定することによって、車線セグメントに沿った当該位置において決定されることである。これは、例えば、境界ポイント３２４、３２６、３２８、３３０、３３２及び３３４とのみに関連する固定の車線幅を利用する代わりに、実際の地理的位置、境界線の色、境界線の種類に基づいて、車線３０２又は車線３０４内に自律走行車２００を最適な間隔で配置させることを可能にする。車線セグメント３０６及び３０８の端までの実際の距離を知ることは、より優れた自律走行車２００の操作性をもたらす。さらに、詳細な地図フォーマット内に記憶された境界セグメント３１８、３２０及び３２２は、自律走行車２００の自律走行の動作中に取得された車線の境界線又は他の地理的特徴の画像と適合させることができるため、自律走行車２００を局在させる性能が改善される。
【００２３】
いくつかの例で、境界セグメント３１８、３２０及び３２２は、所定の車線セグメント３０６及び３０８と近接し及び反対側の両方に配置されることができる。これらの場合、車線セグメント３０６及び３０８の車線幅は、車線セグメント３０６及び３０８に近接し及び反対側に配置された境界セグメント３１８、３２０、３２２の内の２つの間の距離を測定することによって、車線セグメント３０６及び３０８に沿って選択された位置で測定されることができる。例えば、車線３０２の車線幅は、地図フォーマット内の境界セグメント３１８及び３２０の間の距離を測定することによって、車線セグメント３０６に沿ったどの場所でも計算されることができる。さらに、車線３０２及び３０４に沿った任意の地点において実際の車線幅を知ることは、自律走行車２００の位置決め及び操作性の両方にとって全体的に有益である。位置決めの利点は、図４を参照してさらに説明される。
【００２４】
図４は、図２の自律走行車２００用に使用する詳細な地図フォーマット内に表される、交差点で５車線道路４００に遷移する４車線道路の一部分の２次元表示の一例を示す。この例の地図フォーマットにおいて、５車線道路４００は、車線４０２、４０４、４０６、４０８及び４１０を含む。各車線４０２、４０４、４０６、４０８及び４１０は、車線セグメント４１２、４１４、４１６、４１８及び４２０を含むことができる。各車線セグメント４１２、４１４、４１６、４１８及び４２０は、ウェイポイント４２２、４２４、４２６、４２８、４３０、４３２、４３４、４３６、４３８及び４４０の内の少なくとも２つの間を延びる。例えば、車線セグメント４１６はウェイポイント４３０及び４３２の間を延び、及び、車線セグメント４２０はウェイポイント４３８及び４４０の間を延びる。車線４０２、４０４及び４０６は、ウェイポイント４２２、４２４、４２６、４２８、４３０及び４３２と関連する矢印により示される左右方向に進み、及び、車線４０８及び４１０は、ウェイポイント４３４、４３６、４３８及び４４０と関連する矢印により示される右左方向に進む。
【００２５】
図３を参照して上記に説明した同様の情報は、図４に示すウェイポイント４２２、４２４、４２６、４２８、４３０、４３２、４３４、４３６、４３８及び４４０と関連付けられる。各車線４０２、４０４、４０６、４０８及び４１０は、少なくとも２つの境界ポイントの間を延びる１又は複数の境界セグメントの形式で、境界線とさらに関連付けられることができる。分かり易くするために、図４の道路４００の地図フォーマットの一例で、少数の境界セグメント及び境界ポイントのみに番号が付けられている。例えば、境界セグメント４４２は境界ポイント４４４及び４４６の間を延び、及び、境界セグメント４４８は境界ポイント４５０及び４５２の間を延びる。これらの境界セグメント４４２及び４４８はそれぞれ、車線セグメント４１２及び４１４と関連付けられる。図３と関連して説明されるように、境界セグメント４４２及び４４８と、境界ポイント４４４、４４６、４５０及び４５２とは、運転ルールで用いる様々な境界線の種類及び境界線の色と関連付けられることができる。
【００２６】
例えば、境界セグメント４４２及び４４８は、詳細な地図フォーマット内で線の種類が細かい点線を使用して表される、境界線の種類「縁石」と関連付けられることができる。境界ポイント４４４、４４６及び４５２は、黒丸を使用して表され、及び、境界ポイント４４４、４４６及び４５２と、境界セグメント４４２及び４４８とは併せて、運転ルール「通行不可」を示す。運転ルールが「通行不可」を示す場合、自律走行車２００は、自律走行車２００が境界線を越えて走行しない方法で制御される。境界ポイント４５０は、境界ポイント４５０の位置での境界線の種類、種類「実線」から種類「縁石」への遷移を示す、半黒丸を使用して表される。
【００２７】
車両２００は、必要ならば、境界線の種類「直線」に沿って又はそれを横切って走行することが物理的に可能であるが、境界線の種類「縁石」に沿って又はそれを横切って安全に走行することはできないので、境界線の種類間の遷移の位置を把握することは、自律走行車の制御にとって重要である。境界セグメントを使用する利点は、この例で明らかである。中央帯４６４は、車線４０４及び４０６の間に存在するものとして示されている。中央帯４６４の最左部分は、運転ルール「走行可能な車線の境界線」及び境界線の種類「直線」と関連する実線の境界セグメントにより境され、一方で中央帯４６４の最右部分は、運転ルール「通行不可」及び境界線の種類「縁石」と関連する細かい点線により境される。必要ならば、車両２００は、中央帯４６４の最左部分のみを横切って走行し得る。
【００２８】
図４は、図２の自律走行車２００用に使用する地図フォーマットを改善するために地図フォーマットに追加される追加的な特徴を示す。まず、３つの車線セグメント４１２、４１４及び４１６は、交差点（図４の最右側に位置する交差点）付近の停止線４５４及び４５６と関連する。停止線４５４及び４５６は、１又は複数の車線４０２、４０４及び４０６の終端と接続されることができ、及び、停止線４５４及び４５６と関連する情報は、車両２００が交差点手前で停止しなければならない位置の地理的位置を含むことができる。図４の例で、停止線４５６は、境界セグメント４４２及び４４８の間に延び、車線４０２又は４０４の交差点の前で停止する場合に自律走行車２００が位置すべき地理的位置を意味する。
【００２９】
停止線４５４及び４５６は、車両の手動操作と一致する方法で自律走行車２００を交差点に位置させることができるため、停止線４５４及び４５６により提供される追加的な情報は、自律走行車２００の動作にとって有用である。例えば、自律走行車２００は、車線４０２の交差点に近付く場合、車線セグメント４１２の終端を意味するウェイポイント４２４で停止する代わりに、自律走行車２００は、停止線４５６まで且つ境界セグメント４４２により意味する車線４０２の角の周りをわずかに前進するように制御されることができる。この操作は、運転手が交差点で右折するときに道路４００で車両を手動操作する方法と一致している。また、図示しないが、横断歩道は、停止線４５４及び４５６用に使用される同様の方法で詳細な地図フォーマットに含むことができる。横断歩道と関連する情報は、横断歩道の地理的位置と、追加的な安全性の取り決めを実行するように自動車両システムに指示する、横断歩道と関連する運転ルールとを含むことができる。
【００３０】
交通信号は、図４に示す地図フォーマット内に存在する別の特徴である。各交通信号は、地理的位置、交通信号の種類及び交通信号の状態等の情報を含むことができる。交通信号の種類は、信号機の構成及び方向又は交通標識に関する情報を含むことができる。信号機の交通信号の構成及び方向は、「垂直方向の３つ」、「垂直方向の３つの左矢印」、「水平方向の３つ」、「右矢印」等を含むことができる。信号機の交通信号の状態は、例えば、「緑」、「緑矢印」、「黄色」、「点滅の黄色」又は「赤」である。図４中に示す地図フォーマットで、３つの信号機４５８、４６０、４６２は交差点内に示される。この例で、信号機４５８は、車線４０２と関連付けられており、交差点の構成及び車線４０２と近接する境界セグメントの形状及び種類を考慮すると、車線４０２は、右折車線と理解される。同様に、信号機４６２は、車線４０６と関連付けられており、交差点の構成及び車線４０６と近接する境界セグメントの形状及び種類を考慮すると、車線４０６は、左折車線と理解される。
【００３１】
図５は、図２の自律走行車用に使用する詳細な地図フォーマット内に表される、環状交差点５００の２次元表示の一例を示す。環状交差点を経由する自律走行車２００の操作は、車線セグメント、境界セグメント及び停止線の使用により大幅に支援される。例えば、中央帯５０２、５０３、５０４及び中央円５００は、境界ポイント及び境界セグメントを使用して特定され、及び、環状交差点５００の「通行不可」領域とする運転ルールと関連付けられることができる。別の例で、停止線５０６、５０８及び５１０は、自律走行車２００に対して自律走行車２００が環状交差点５００に入る前に停止すべき正確な位置を示すために使用されることができる。図５に示すように、停止線５１０は、車線５１２にある最も近いウェイポイントの右下の位置を示す。環状交差点５００への入口で自律走行車２００を位置するために停止線５１０を使用することは、車線５１２にある最後のウェイポイントで自律走行車２００を停止させる場合と比較して、運転手が車両を操作する方法へとより近づく。
【００３２】
前述の記載は、最も現実的な実施形態であると現在考えられているものに関する。しかしながら、本開示はこれらの実施形態に限定されず、反対に、添付のクレームの精神及び範囲内に包含する様々な修正及び同様の変更を網羅することを意図すると理解される。クレームの範囲は、法の下認められる修正及び同様の構成の全てを包含するように広い解釈が許容される。
【図１】
2017516135.tif 000003
【図２】
2017516135.tif 000004
【図３】
2017516135.tif 000005
【図４】
2017516135.tif 000006
【図５】
2017516135.tif 000007
【国際調査報告】
2017516135.tif 000008
2017516135.tif 000009
2017516135.tif 000010